(57)【要約】      （修正有）【課題】有効にセンサーの感度を確保でき、給紙の信頼性を向上させるプリンタ又はスキャナー用防粉塵センサーを提供する。【解決手段】プリンター又はスキャナー用防粉塵センサー１００は、相対的にプリンター又はスキャナーの消耗品通路１０の上側と下側に設けられている第１光電センサー２０と第２光電センサー３０を有し、水平面に平行する上固定部２１ａを含む上支持具２１と、上固定部２１ａの前端に設けられている上楔形部２１ｂと、上楔形部２１ｂに設けられているＬ型導光支持具２２と、Ｌ型導光支持具２２に設けられている第１導光柱２２ａとを含んでおり、上楔形部２１ｂの長手方向と上固定部２１ａの長手方向との間の角は、夾角αであり、その中で、第１光電センサー２０と第２光電センサー３０とを結ぶ直線と水平面との間の角は、夾角αであり、第１光電センサー２０は上楔形部２１ｂに固定されている。【選択図】図３
0003235269.tif 000002
【実用新案登録請求の範囲】
【請求項１】
相対的にプリンター又はスキャナーの消耗品通路の上側と下側に設けられている第１光電センサーと第２光電センサーを有するプリンター又はスキャナー用防塵センサーであって、
前記消耗品通路の上側に設けられている上支持具であって、水平面に平行にプリンター又はスキャナー本体に固定される上固定部と、前記上固定部の前端に設けられている上楔形部とを含む、上支持具と、
前記上楔形部の下上面に設けられているＬ型導光支持具と、
前記Ｌ型導光支持具の下面に設けられている第１導光柱と、
を含んでおり、
前記上楔形部の長手方向と前記上固定部の長手方向との間の角は、夾角αであり、
前記第１光電センサーと前記第２光電センサーとを結ぶ直線と水平面との間の角は、前記夾角αであり、
前記第１光電センサーは、前記上楔形部の下面の後端に固定されており、
前記第１光電センサーの長手方向と水平面との間の角は、前記夾角αである、
ことを特徴とする、
プリンター又はスキャナー用防塵センサー。
【請求項２】
前記消耗品通路の下側に設けられている下支持具であって、水平面に平行にプリンター又はスキャナー本体に固定される下固定部と、前記下固定部の後端に設けられている下楔形部とを含む、下支持具を含んでおり、
前記下楔形部の長手方向と前記下固定部の長手方向との間の角は、前記夾角αであり、
前記第２光電センサーは、前記下楔形部の上面の前端に垂直に設けられ、前記第１光電センサーと同じ直線上に位置している、
ことを特徴とする、
請求項１に記載のプリンター又はスキャナー用防塵センサー。
【請求項３】
前記下支持具は、前記消耗品通路の前端に設けられ、
前記第２光電センサーは、前記下支持具の前端に設けられており、
前記下楔形部の前端方向にカバー型導光支持具と、
前記カバー型導光支持具の頂部に設けられている第２導光柱と、
を含んでおり、
前記第２光電センサーは、前記カバー型導光支持具の中に設けられており、
前記第２導光柱は、前記第２光電センサー及び第１光電センサーと同じ直線上に位置している、
ことを特徴とする、
請求項２に記載のプリンター又はスキャナー用防塵センサー。
【請求項４】
前記第１光電センサー及び前記第２光電センサーは、それぞれ第１光電検出回路及び第２光電検出回路に接続されており、
前記第１光電検出回路及び前記第２光電検出回路は、それぞれプリント基板に設けられている、
ことを特徴とする、
請求項１に記載のプリンター又はスキャナー用防塵センサー。
【請求項５】
前記夾角αは、３５度であることを特徴とする、
請求項１に記載のプリンター又はスキャナー用防塵センサー。
【考案の詳細な説明】
【技術分野】
【０００１】
本考案は、プリンター又はスキャナーの製造技術分野に関し、特に有効にセンサーの感度を保証でき、給紙の信頼性を向上させるプリンター又はスキャナー用防粉塵センサーに関する。
【背景技術】
【０００２】
従来のプリンター又はスキャナー等の印刷機器や画像読み取り機器は、処理待ちの消耗品が位置付けされているか否かを検出するためのセンサーが設けられることが知られている。センサーによって消耗品の位置づけ信号を取得するにより、消耗品が連続的に後続の構造に送られることが保証される。従来技術において、図１に示すように、センサー４’は、スイングアーム１’及び回転軸２’が結合され、前記回転軸２’の一端に透過型電気センサー３’が接続されることにより構成される。前記透過型電気センサー３’は、Ａ方向の一側に設けられ、前記スイングアーム１’を介して信号伝送を行う。そのため、紙くず又はトナーが蓄積せず、前記透過型電気センサー３’の信号伝送位置に影響を与えない。しかしながら、前記センサー４’は、使用空間が大きく、組み立てに時間がかかり、また、部品数が多く、コストが高く、信号応答時間が長く、信号のバウンスによる故障が多い等の欠点がある。
【０００３】
従来技術の課題を克服するために、図２に示すように、センサーにおいて、消耗品の輸送通路５’の上側及び下側に相対的にエミッタ・フォトトランジスタ・センサー６’及びコレクタ・フォトトランジスタ・センサー７’が設けられる。その中で、前記エミッタ・フォトトランジスタ・センサー６’をプリント基板８ａ’にはんだ付けてエミッタ導光柱９’に固定させることと、前記コレクタ・フォトトランジスタ・センサー７’をプリント基板８ｂ’にはんだ付けてコレクタ導光柱１０’に固定させることで、消耗品の位置付け信号を検出する。このような方法は、使用空間が小さく、組み立てが簡単で、応答速度が速く、信号のバウンスによる故障がない。しかしながら、使用過程において、消耗品が持続的にＡ方向に送られる時、紙くず又はトナー１１’等の不純物が徐々に前記消耗品輸送通路５’に蓄積されることから、下側に位置する前記コレクタ・フォトトランジスタ・センサー７’が覆われてしまい、又は、信号が遮られてしまい、センサーの故障へ繋がる。
【０００４】
よって、有効にセンサーの感度を確保でき、給紙の信頼性を向上させるプリンター又はスキャナー用防粉塵センサーが求められている。
【考案の概要】
【考案が解決しようとする課題】
【０００５】
上記従来技術の課題を解決するために、本考案の目的は、有効にセンサーの感度を保証でき、給紙の信頼性を向上させるプリンター又はスキャナー用防粉塵センサーを提供する。
【課題を解決するための手段】
【０００６】
上記目的を実現するために、本考案は、相対的にプリンター又はスキャナーの消耗品通路の上側と下側に設けられている第１光電センサーと第２光電センサーを有するプリンター又はスキャナー用防塵センサーであって、前記消耗品通路の上側に設けられている上支持具であって、水平面に平行にプリンター又はスキャナー本体に固定される上固定部と、前記上固定部の前端に設けられている上楔形部とを含む、上支持具と、前記上楔形部の下面に設けられているＬ型導光支持具と、前記Ｌ型導光支持具の下面に設けられている第１導光柱とを含んでおり、前記上楔形部の長手方向と前記上固定部の長手方向との間の角は、夾角αであり、前記第１光電センサーと前記第２光電センサーとを結ぶ直線と水平面との間の角は、前記夾角αであり、前記第１光電センサーは、前記上楔形部の下面の後端に固定されており、前記第１光電センサーの長手方向と水平面との間の角は、前記夾角αである。
【０００７】
本考案において、前記消耗品通路の下側に設けられている下支持具であって、水平面に平行にプリンター又はスキャナー本体に固定される下固定部と、前記下固定部の後端に設けられている下楔形部とを含む、下支持具を含んでおり、前記下楔形部の長手方向と前記下固定部の長手方向との間の角は、前記夾角αであり、前記第２光電センサーは、前記下楔形部の上面の前端に垂直に設けられ、前記第１光電センサーと同じ直線上に位置している。
【０００８】
本考案において、前記下支持具は、前記消耗品通路の前端に設けられ、前記第２光電センサーは、前記下支持具の前端に設けられており、前記下楔形部の前端にカバー型導光支持具と、前記カバー型導光支持具の頂部に設けられている第２導光柱とを含んでおり、前記第２光電センサーは、前記カバー型導光支持具の中に設けられており、前記第２導光柱は、前記第２光電センサー及び第１光電センサーと同じ直線上に位置している。
【０００９】
本考案において、前記第１光電センサー及び前記第２光電センサーは、それぞれ第１光電検出回路及び第２光電検出回路に接続されており、前記第１光電検出回路及び前記第２光電検出回路は、それぞれプリント基板に設けられている。
【００１０】
本考案において、前記夾角αは、３５度である。
【図面の簡単な説明】
【００１１】
【図１】従来のスイングアーム式センサーの構造の模式図である。
【図２】従来のフォトトランジスタ・センサーの構造の模式図である。
【図３】本考案のプリンター又はスキャナー用防粉塵センサーの正面図である。、
【図４】本考案のプリンター又はスキャナー用防粉塵センサーの側面図である。
【図５】本考案のプリンター又はスキャナー用防粉塵センサーにおける第１光電センサーの斜視図である。
【図６】本考案のプリンター又はスキャナー用防粉塵センサーにおける第２光電センサーの斜視図である。
【図７】本考案のプリンター又はスキャナー用防粉塵センサーにおける上支持具の斜視図である。
【図８】本考案のプリンター又はスキャナー用防粉塵センサーにおける下支持具の斜視図である。
【考案を実施するための形態】
【００１２】
以下実施例及び図面を開示しながら本考案の技術内容、構造の特徴、目的、及び効果を詳しく説明する。
【００１３】
図３に示すように、本考案が開示するプリンター又はスキャナー用防粉塵センサー１００は、プリンター又はスキャナーの消耗品（例えば紙）通路１０の上側及び下側に相対的に設けられている第１光電センサー２０及び第２光電センサー３０を有する。本好ましい実施例において、前記第１光電センサー２０は、エミッタ・フォトトランジスタ・センサーであり、前記第２光電センサー３０は、コレクタ・フォトトランジスタ・センサーである。説明のため、本明細書において、図３の前記消耗品通路１０の上に近い一側を上側とし、図３の前記消耗品通路１０の下に近い一側を下側とする。
【００１４】
図３及び図５に示すように、前記プリンター又はスキャナー用防粉塵センサー１００は、前記消耗品通路１０の上側に設けられている上支持具２１を含んでおり、前記上支持具２１は、プリンター又はスキャナーの機器本体（図示せず）に固定されている上固定部２１ａと、前記上固定部２１ａの前端に設けられている上楔形部２１ｂと、前記上楔形部２１ｂの下面（上支持具２１がプリンター又はスキャナーの機器本体に固定されている状態で斜め下に向いている面）に設けられているＬ型導光支持具２２と、前記Ｌ型導光支持具２２の下面（Ｌ型導光支持具２２が上楔形部２１ｂに固定されている状態で斜め下に向いている面）に設けられている第１導光柱２２ａとを含んでいる。前記上固定部２１ａは、水平面に平行である。前記第１光電センサー２０は、前記上楔形部２１ｂの下面（上支持具２１がプリンター又はスキャナーの機器本体に固定されている状態で斜め下に向いている面）の後端に設けられている。前記Ｌ型導光支持具２２の開口部は、前記第１光電センサー２０に向けている。また、前記第１光電センサー２０は、第１光電検出回路（図示せず）に接続されており、前記第１光電検出回路は、プリント基板４０ａに設けられている。説明のため、本明細書において、図３の前記消耗品通路１０の入口に近い一端を前端とし、その前端の反対端を後端とし、重力方向に垂直な面を水平面とする。
【００１５】
図３、図４及び図６に示すように、前記消耗品通路１０内の消耗品に対する位置付け検出が完了されることを確保するため、本好ましい実施例において、前記プリンター又はスキャナー用防粉塵センサー１００は、前記消耗品通路１０の下側に設けられている下支持具３１を含んでいる。前記下支持具３１は、楔形となされており、水平面に平行し前記プリンター又はスキャナーの機器本体に固定されている下固定部３１ａ、及び前記下固定部３１ａの一側に設けられている下楔形部３１ｂを含んでいる。前記第２光電センサー３０は、前記下楔形部３１ｂの上面（下支持具３１がプリンター又はスキャナーの機器本体に固定されている状態で斜め上に向いている面）の前端に垂直に設けられている。また、前記第２光電センサー３０は、第２光電検出回路（図示せず）に接続されており、前記第２光電検出回路は、プリント基板４０ｂに設けられている。さらに、前記下支持具３１は、前記下楔形部３１ｂの前端方向に延伸しているカバー型（Ｕ型）導光支持具３２、及び前記カバー型導光支持具３２の頂部に設けられている第２導光柱３２ａを含んでいる。前記第２光電センサー３０は、前記カバー型導光支持具３２の中に設けられており、前記第２導光柱３２ａに介して前記第２光電センサー３０及び前記第１光電センサー２０と同じ直線上に位置している同時に、前記第１光電センサー２０及び前記第２光電センサー３０がそれぞれ前記消耗品通路１０の上側及び下側に設けられているにより、消耗品に対する位置付け検出が完了されることを確実に達成できる。
【００１６】
図３、図７及び図８に示すように、同時に、前記上固定部２１ａの長手方向と前記上楔形部２１ｂの長手方向との間の角は、夾角αである。また、前記第１光電センサー２０と水平面との間の角は、前記夾角αである。さらに、前記下楔形部３１ｂの長手方向と前記下固定部３１ａの長手方向との間の角は、前記夾角αである。前記第１光電センサー２０と前記第２光電センサー３０とを結ぶ直線と水平面との間の角は、前記夾角αである。本好ましい実施例において、前記夾角αは、好ましくは３５度である。そのため、前記消耗品がＡ方向に送られる過程において、紙くず又はトナーが前記第２光電センサー３０の後方に蓄積されることが確保され、光電センサーの信号が遮られることを回避できる。
【符号の説明】
【００１７】
１００  プリンター又はスキャナー用防粉塵センサー
１０  消耗品通路
２０  第１光電センサー
２１  上支持具
２１ａ  上固定部
２１ｂ  上楔形部
２２  Ｌ型導光支持具
２２ａ  第１導光柱
３０  第２光電センサー
３１  下支持具
３１ａ  下固定部
３１ｂ  下楔形部
３２  カバー型導光支持具
３２ａ  第２導光柱
４０ａ、４０ｂ  プリント基板
【図１】
0003235269.tif 000003
【図２】
0003235269.tif 000004
【図３】
0003235269.tif 000005
【図４】
0003235269.tif 000006
【図５】
0003235269.tif 000007
【図６】
0003235269.tif 000008
【図７】
0003235269.tif 000009
【図８】
0003235269.tif 000010